【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
画像と日付情報とを対応付けて複数記憶する記憶手段と、
この記憶手段に記憶されている複数の画像の縮小画像を生成して前記日付情報に基づいて一覧表示させる際、同じ日付情報で対応付けられた画像が複数存在する場合は、これらの画像の縮小画像を前記同じ日付情報に対応付けて連続表示する表示手段と、
を備えたことを特徴とする画像表示装置。
【請求項２】
拡大表示指示手段と、
この拡大表示指示手段による指示があると、前記表示手段によって連続表示されている縮小画像を該縮小画像より相対的に大きくなるように拡大して表示する拡大表示手段と、
を更に備えたことを特徴とする請求項１に記載の画像表示装置。
【請求項３】
前記画像は動画を含むとともに、前記表示手段は、前記記憶手段に記憶されている画像が動画であるときには、この動画に含まれる静止画の縮小画像を生成して前記日付情報に基づいて一覧表示させ、
前記表示手段によって表示されている縮小画像から所定の縮小画像を選択する選択手段と、
この選択手段によって選択された縮小画像が前記動画に含まれる静止画から生成されたものであるときには、この縮小画像に対応する動画を再生表示する再生表示手段と、
を更に備えたことを特徴とする請求項１又は２に記載の画像表示装置。
【請求項４】
前記動画を縮小させた縮小動画を作成する縮小動画作成手段を更に備え、
前記再生表示手段は、前記縮小動画作成手段によって生成された縮小動画を再生表示することを特徴とする請求項３に記載の画像表示装置。
【請求項５】
音響データに基づく音響を出力する音響出力手段と、
前記動画に音響データが対応付けられているか否かを判断する判断手段と、を更に備え、
前記前記再生表示手段は、前記判断手段により音響データが対応付けられていると判断すると、動画を再生表示させるとともに、この音響データに基づく音響を前記音響出力手段により再生出力させることを特徴とする請求項３又は４に記載の画像表示装置。
【請求項６】
撮像手段と、
この撮像手段によって撮像された画像とこの画像の撮影日とを取得する取得手段と、を更に備え、
前記記憶手段は、前記取得手段によって取得された撮影日を日付情報として、前記取得手段によって取得された画像と対応付けて記憶することを特徴とする請求項１乃至５の何れかに記載の画像表示装置。
【請求項７】
前記日付情報を入力する入力手段を更に備え、
前記記憶手段は、前記入力手段によって取得された日付情報を、前記画像と対応付けて記憶することを特徴とする請求項１乃至５の何れかに記載の画像表示装置。
【請求項８】
画像と日付情報とを対応付けて複数記憶する記憶部と表示部とを備えた画像表示装置が備えるコンピュータを、
前記記憶部に記憶されている複数の画像の縮小画像を生成して前記日付情報に基づいて一覧表示させる際、同じ日付情報で対応付けられた画像が複数存在する場合は、これらの画像の縮小画像を前記同じ日付情報に対応付けて前記表示し部に連続表示する表示手段、
として機能させることを特徴とするプログラム。
【手続補正２】
【補正対象書類名】明細書
【補正対象項目名】発明の名称
【補正方法】変更
【補正の内容】
【発明の名称】画像表示装置、及び、プログラム
【手続補正３】
【補正対象書類名】明細書
【補正対象項目名】０００１
【補正方法】変更
【補正の内容】
【０００１】
本発明は、カレンダ上に動画や静止画像を表示する、画像表示技術に関する。
【手続補正４】
【補正対象書類名】明細書
【補正対象項目名】０００７
【補正方法】変更
【補正の内容】
【０００７】
本発明は、上記課題を解決するためになされたものであり、画像をカレンダ上にスケジュールと連動させて表示し得る、画像表示装置、及び、プログラムの提供を目的とする。
【手続補正５】
【補正対象書類名】明細書
【補正対象項目名】０００８
【補正方法】変更
【補正の内容】
【０００８】
上記課題を解決するために、請求項１に記載の発明は、画像と日付情報とを対応付けて複数記憶する記憶手段と、この記憶手段に記憶されている複数の画像の縮小画像を生成して前記日付情報に基づいて一覧表示させる際、同じ日付情報で対応付けられた画像が複数存在する場合は、これらの画像の縮小画像を前記同じ日付情報に対応付けて連続表示する表示手段と、を備えたことを特徴とする。
【手続補正６】
【補正対象書類名】明細書
【補正対象項目名】０００９
【補正方法】変更
【補正の内容】
【０００９】
また、請求項２に記載の発明は、上記請求項１に記載の発明において、拡大表示指示手段と、この拡大表示指示手段による指示があると、前記表示手段によって連続表示されている縮小画像を該縮小画像より相対的に大きくなるように拡大して表示する拡大表示手段と、を更に備えたことを特徴とする。
【手続補正７】
【補正対象書類名】明細書
【補正対象項目名】００１０
【補正方法】変更
【補正の内容】
【００１０】
また、請求項３に記載の発明は、上記請求項１又は２に記載の発明において、前記画像は動画を含むとともに、前記表示手段は、前記記憶手段に記憶されている画像が動画であるときには、この動画に含まれる静止画の縮小画像を生成して前記日付情報に基づいて一覧表示させ、前記表示手段によって表示されている縮小画像から所定の縮小画像を選択する選択手段と、この選択手段によって選択された縮小画像が前記動画に含まれる静止画から生成されたものであるときには、この縮小画像に対応する動画を再生表示する再生表示手段と、を更に備えたことを特徴とする。
【手続補正８】
【補正対象書類名】明細書
【補正対象項目名】００１１
【補正方法】変更
【補正の内容】
【００１１】
また、請求項４に記載の発明は、上記請求項３に記載の発明において、前記動画を縮小させた縮小動画を作成する縮小動画作成手段を更に備え、前記再生表示手段は、前記縮小動画作成手段によって生成された縮小動画を再生表示することを特徴とする。
【手続補正９】
【補正対象書類名】明細書
【補正対象項目名】００１２
【補正方法】変更
【補正の内容】
【００１２】
また、請求項５に記載の発明は、上記請求項３又は４に記載の発明において、音響データに基づく音響を出力する音響出力手段と、前記動画に音響データが対応付けられているか否かを判断する判断手段と、を更に備え、前記再生表示手段は、前記判断手段により音響データが対応付けられていると判断すると、動画を再生表示させるとともに、この音響データに基づく音響を前記音響出力手段により再生出力させることを特徴とする。
【手続補正１０】
【補正対象書類名】明細書
【補正対象項目名】００１３
【補正方法】変更
【補正の内容】
【００１３】
また、請求項６に記載の発明は、上記請求項１乃至５の何れかに記載の発明において、撮像手段と、この撮像手段によって撮像された画像とこの画像の撮影日とを取得する取得手段と、を更に備え、前記記憶手段は、前記取得手段によって取得された撮影日を日付情報として、前記取得手段によって取得された画像と対応付けて記憶することを特徴とする。
【手続補正１１】
【補正対象書類名】明細書
【補正対象項目名】００１４
【補正方法】変更
【補正の内容】
【００１４】
また、請求項７に記載の発明は、上記請求項１乃至５の何れかに記載の発明において、前記日付情報を入力する入力手段を更に備え、前記記憶手段は、前記入力手段によって取得された日付情報を、前記画像と対応付けて記憶することを特徴とする。
【手続補正１２】
【補正対象書類名】明細書
【補正対象項目名】００１５
【補正方法】変更
【補正の内容】
【００１５】
また、上記課題を解決するために、請求項８に記載の発明は、画像と日付情報とを対応付けて複数記憶する記憶部と表示部とを備えた画像表示装置が備えるコンピュータを、前記記憶部に記憶されている複数の画像の縮小画像を生成して前記日付情報に基づいて一覧表示させる際、同じ日付情報で対応付けられた画像が複数存在する場合は、これらの画像の縮小画像を前記同じ日付情報に対応付けて前記表示し部に連続表示する表示手段、として機能させることを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】変更
【補正の内容】
【００３９】
本発明によれば、カレンダ表示で目的とする画像を簡単に探し出すことができる。